(57)【要約】     【課題】  回転コピーを通常コピーと同速度で行えるカラーコピー機を提供する。    【解決手段】  カラーコピー機１を、ＣＣＤ１３（３ラインカラーＣＣＤラインセンサ）によるスキャン結果（各色のラインデータ群）を、メモリ（ＲＡＭ３３）上の特定の位置に記憶することにより画像データに復元できるブロックデータ群として、カラープリンタ３０へ送信するスキャナ用ＬＳＩ１２であって，回転処理を施した上で、各ブロックデータをカラープリンタ３０へ送信することが可能なスキャナ用ＬＳＩ１２を備えたカラースキャナ１０と、回転コピー時，通常コピー時のいずれにも、カラースキャナ２０からの各ブロックデータに基づいてＲＡＭ３３上に復元した画像データに基づく印刷を印刷エンジン３１に行わせるプリンタ用ＬＳＩ３２を備えたカラープリンタ３０とで構成される装置としておく。    【選択図】  図１
2009094604.tif 000002
【特許請求の範囲】
【請求項１】
Ｒラインデータ，Ｇラインデータ及びＢラインデータを出力するカラーラインセンサの出力に対してライン間補正を行うためのライン間補正用集積回路において、
前記ラインセンサが出力する各色のラインデータを、Ｍ個のデータのバーストリードが可能なメモリ上に書き込むラインデータ書込回路であって、前記メモリ上に最新の一定量のラインデータが色毎に記憶されているように，各ラインデータの書込位置を決定するラインデータ書込回路と、
前記メモリ上のデータに基づき、ライン間補正がなされた画像データを出力するデータ出力回路であって、
画像を回転すべきことが指示された場合に、Ｍ個の連続するラインに関するＭ個のラインデータに含まれるＭ×Ｍ個の画素群に関するデータであるブロックデータをバーストリードを整数回繰り返すことにより前記メモリから読み出し，読み出したブロックデータを回転したデータを出力する処理を、各色についての新たなＭ個のラインデータが前記メモリに記憶される度に，各色についてのＭ個のラインデータ内の全てのブロックデータに対して繰り返すデータ出力回路と
を備えることを特徴とするライン間補正用集積回路。
【請求項２】
前記データ出力回路が、
画像を回転すべきことが指示されていない場合には、Ｍ個の連続するラインに関するＭ個のラインデータに含まれるＭ×Ｍ個の画素群に関するデータであるブロックデータをバーストリードを整数回繰り返すことにより前記メモリから読み出し、読み出したブロックデータをそのまま出力する処理を、各色についての新たなＭ個のラインデータが前記メモリに記憶される度に，各色についてのＭ個のラインデータ内の全てのブロックデータに対して繰り返す回路である
を備えることを特徴とする請求項１記載のライン間補正用集積回路。
【請求項３】
前記データ出力回路が出力したブロックデータを回転したデータの圧縮データ，及び，前記データ出力回路が出力したブロックデータ自体の圧縮データを出力する圧縮回路を、さらに、備える
ことを特徴とする請求項２記載のライン間補正用集積回路。
【請求項４】
前記データ出力回路が、
読み出したブロックデータを拡縮したデータを出力する機能も有する回路である
ことを特徴とする請求項１乃至請求項３のいずれかに記載のライン間補正用集積回路。
【請求項５】
印刷エンジンと、
原稿をスキャンするための，ライン毎に，Ｒラインデータ，Ｇラインデータ及びＢラインデータを出力するカラーラインセンサと、
請求項１乃至請求項４のいずれかに記載のライン間補正用集積回路と、
画像の回転を必要とするコピーの実行が指示されたときに、前記ライン間補正用集積回路内のデータ出力回路に画像を回転すべきことを指示した後，前記データ出力回路が出力するデータに基づき前記印刷エンジンに前記原稿のコピーを生成させる制御手段と
を備えることを特徴とするカラーコピー機。
【請求項６】
原稿をスキャンするための，ライン毎に，Ｒラインデータ，Ｇラインデータ及びＢラインデータを出力するカラーラインセンサと、
請求項１乃至請求項４のいずれかに記載のライン間補正用集積回路とを、備え、
前記ライン間補正用集積回路の前記データ出力回路が出力するデータに基づき印刷を行う機能を有するプリンタと接続可能なことを特徴とするカラースキャナ。
【発明の詳細な説明】
【技術分野】
【０００１】
本発明は、カラーラインセンサの出力に対してライン間補正を施すためのライン間補正用集積回路と，カラーラインセンサを備えたカラーコピー機及びカラースキャナとに、関する。
【背景技術】
【０００２】
現在、市販されているカラーコピー機の中には、図８に示した構成を有するものが存在している。
【０００３】
このカラーコピー機４０は、操作パネル１１，３ラインカラーＣＣＤラインセンサ１３（図では、ＣＣＤ１３），ＡＦＥ，ランプ，モータ，センサ（原稿台カバー／ＡＤＦの開閉検出用センサ），ＲＯＭ，ＲＡＭ１４，スキャナ用ＬＳＩ５２等からなるカラースキャナ５０と、印刷エンジン３１，ＲＯＭ，ＲＡＭ３３，プリンタ用ＬＳＩ６２等からなるカラープリンタ６０とを、ケーブルで接続した装置である。なお、図示は省略してあるが、カラープリンタ６０は、Ａ３までの各種サイズの用紙をセット可能な複数の用紙トレイを備えたものとなっている、また、カラースキャナ５０は、Ａ４までの原稿をスキャン可能な装置となっている。
【０００４】
このカラーコピー機４０を構成しているカラースキャナ５０内の３ラインカラーＣＣＤラインセンサ１３（以下、ＣＣＤ１３とも表記する）は、通常の３ラインカラーＣＣＤラインセンサ〔Ｒ，Ｇ，Ｂ用のセンサアレイを副走査方向（センサアレイの長さ方向と垂直な方向）に数ライン分間隔で並べた、１回の動作で、同一ラインに関するＲ，Ｇ，Ｂラインデータを出力させることが出来ないセンサ〕である。
【０００５】
カラースキャナ５０内のスキャナ用ＬＳＩ５２は、カラースキャナ５０用に開発されたＬＳＩ（ＣＰＵ内蔵ＡＳＩＣ）である。
【０００６】
このスキャナ用ＬＳＩ５２内のライン間補正回路６１は、ガンマ補正回路から入力される各色のラインデータ〔ＡＦＥ（アナログフロントエンド）によってデジタル化され、シェーディング補正回路及びガンマ補正回路により、シェーディング補正，ガンマ補正が施された、Ｗ画素分の色データからなる各色のラインデータ〕を、図９に示したような形で（Ｌ個の最新のラインデータが各色用のライン間補正バッファに記憶されているように）、ＲＡＭ１４上の各色用のライン間補正バッファに書き込んでいく回路である。なお、Ｗとは、原稿サイズ及び向きによって定まる数（主操作方向の読み取り画素数）のことであり、ライン間補正バッファとは、ライン間補正バッファとして使用することをＣＰＵ／ファームウェアが決定した記憶領域のことである。
【０００７】
さらに、ライン間補正回路６１は、上記のような書込処理と並行的に、同一ラインに関するＲラインデータ，Ｇラインデータ，Ｂラインデータ（各ライン間補正バッファ上の，ＣＣＤ１３のセンサ間隔分ずれた位置のラインデータ）を，順次，ＲＡＭ１４から読み出して圧縮回路６３（一般データ用の圧縮を行う回路）へ出力する機能を有する回路となっている。
【０００８】
また、スキャナ用ＬＳＩ５２内のプリンタＩ／Ｆ６４，プリンタＬＳＩ６２内のスキャナＩ／Ｆ７１及び伸張回路７２は、圧縮回路６３による各色のラインデータの圧縮結果を伸張した上で，ＲＡＭ３３上の各色用のページバッファ（ページバッファとして使用することをＣＰＵ／ファームウェアが決定した記憶領域）に記憶することが出来る回路となっている。
【０００９】
そして、カラーコピー機４０は、実行が指示されているコピーが，画像データの回転／拡縮を必要としないもの（以下、通常コピーと表記する）であった場合には、各色用のページバッファ上のデータがプリンタ用ＬＳＩ６２内の画像処理回路によって処理されてコピーが生成され、実行が指示されているコピーが，画像データの回転／拡縮を必要とするもの（以下、回転／拡縮コピーと表記する）であった場合には、各色用のページバッファ上のデータを回転／拡縮したデータをＲＡＭ３３上に用意する処理がプリンタ用ＬＳＩ６２内のＣＰＵによって行われた後に、当該データが画像処理回路により処理されてコピーが生成される装置となっている。
【００１０】
以上の説明から明らかなように、このカラーコピー機４０は、回転／拡縮コピー時に、ライン間補正が施された画像データを加工する処理がＣＰＵによって行われる装置であるが故に、回転／拡縮コピーに時間がかかる装置となっているのであるが、一般的なカラーコピー機も、具体的なハードウェア構成／処理手順は異なるものの、回転／拡縮コピー時に、ライン間補正が施された画像データを加工する処理がＣＰＵによって行われる装置となっている。
【発明の開示】
【発明が解決しようとする課題】
【００１１】
そこで、本発明の課題は、回転コピーを通常コピーと同速度で行えるカラーコピー機、そのようなカラーコピー機を実現できるライン間補正用集積回路及びカラースキャナを提供することにある。
【課題を解決するための手段】
【００１２】
上記課題を解決するために、本発明の，Ｒラインデータ，Ｇラインデータ及びＢラインデータを出力するカラーラインセンサの出力に対してライン間補正を行うためのライン間補正用集積回路は、ラインセンサが出力する各色のラインデータを、Ｍ個のデータのバーストリードが可能なメモリ上に書き込むラインデータ書込回路であって、、メモリ上に最新の一定量のラインデータが色毎に記憶されているように，各ラインデータの書込位置を決定するラインデータ書込回路と、メモリ上のデータに基づき、ライン間補正がなされた画像データを出力するデータ出力回路であって、画像を回転すべきことが指示された場合には、Ｍ個の連続するラインに関するＭ個のラインデータに含まれるＭ×Ｍ個の画素群に関するデータであるブロックデータをバーストリードを整数回繰り返すことによりメモリから読み出し，読み出したブロックデータを回転したデータを出力する処理を、各色についての新たなＭ個のラインデータがメモリに記憶される度に，各色についてのＭ個のラインデータ内の全てのブロックデータに対して繰り返すデータ出力回路とを備える。
【００１３】
すなわち、本発明のライン間補正用集積回路は、ライン間補正を行う際に、画像データを回転してしまうことが可能な回路となっている。しかも、本発明のライン間補正用集積回路は、メモリに対するバーストリードが行われるようにした回路であると共に、ライン間補正を行うための既存の集積回路の改良により製造できる回路となっている。従って、本発明のライン間補正用集積回路を用いれば、回転コピーが通常コピーと同速度で行えるカラーコピー機（請求項５記載のようなもの）や、そのようなカラーコピー機の構成要素として使用できるカラースキャナ（請求項６記載のようなもの）を、製造コストが過度に上昇しない形で、実現できることになる。
【００１４】
なお、本発明のライン間補正用集積回路は、回転角度が０度の場合には、既存のライン間補正用集積回路と同様に機能する回路（ラインデータを出力する回路）として実現しておくことも出来るが、データ出力回路が、画像を回転すべきことが指示されていない場合には、Ｍ個の連続するラインに関するＭ個のラインデータに含まれるＭ×Ｍ個の画素群に関するデータであるブロックデータをバーストリードを整数回繰り返すことによりメモリから読み出し、読み出したブロックデータをそのまま出力する処理を、各色についての新たなＭ個のラインデータがメモリに記憶される度に，各色についてのＭ個のラインデータ内の全てのブロックデータに対して繰り返す回路となるようにしておく（常に、ブロックデータを出力するようにしておく）ことも出来る。
【００１５】
また、データ出力回路を、そのような回路とする場合には、ライン間補正用集積回路に、データ出力回路が出力したブロックデータを回転したデータの圧縮データ，及び，前記データ出力回路が出力したブロックデータ自体の圧縮データを出力する圧縮回路を、付加しておくことが出来る。
【００１６】
また、本発明のライン間補正用集積回路を実現（設計・製造）する際には、データ出力回路に、読み出したブロックデータを拡縮したデータを出力する機能も付与しておくことも出来る。
【発明を実施するための最良の形態】
【００１７】
以下、本発明を実施するための最良の形態を、図面を参照して詳細に説明する。
【００１８】
図１に示してあるように、本発明の一実施形態に係るカラーコピー機１は、カラースキャナ１０とカラープリンタ３０とをケーブルで接続した装置である。
【００１９】
このカラーコピー機１に用いられているカラースキャナ１０は、カラースキャナ５０（図８）内のスキャナ用ＬＳＩ５２をスキャナ用ＬＳＩ１２に置換した装置である。また、カラープリンタ３０は、カラープリンタ６０（図８）内のプリンタ用ＬＳＩ７２をプリンタ用ＬＳＩ３２に置換した装置となっている。このため、以下では、本実施形態に係るカラーコピー機１の構成及び動作を、スキャナ用ＬＳＩ１２の構成，プリンタ用ＬＳＩ３２の構成，カラーコピー機１の全体的な動作に分けて，説明することにする。
【００２０】
《スキャナ用ＬＳＩ１２》
まず、スキャナ用ＬＳＩ１２の構成を、スキャナ用ＬＳＩ５２と異なる部分を中心に説明する。
【００２１】
スキャナ用ＬＳＩ１２内のブロックＳＲＡＭ２２は、Ｍ×Ｍ個の色データ（画素のＲ，ＧorＢ階調値を示す１バイトデータ）を記憶可能なＳＲＡＭである。このブロックＳＲＡＭ２２の用途については後述するが、Ｍとは、１回のバーストリード（１回のアクセス）によりＳＤＲＡＭであるＲＡＭ１４から読み出せるデータ（色データ）の個数（本実施形態では、３２）のことである。なお、ＲＡＭ１４は、Ｍ／２，Ｍ／４個のデータのバーストリードも行えるものとなっている。
【００２２】
ライン間補正回路２１は、ライン間補正回路６１（図８，９参照）と同様に、最新の所定量のＸラインデータ〔Ｗ画素分のＸデータを含むデータ（Ｘ＝Ｒ，Ｇ，Ｂ）〕がＲＡＭ１４上のＸ用ライン間補正バッファ上に記憶されているように、ガンマ補正回路からの各色に関するラインデータをＲＡＭ１４上に記憶していく（ＤＭＡバーストライトしていく）回路である。
【００２３】
ただし、ライン間補正回路２１は、回転角度（0,90,180,270度のいずれか）及び拡縮率（50,70.7,100,141.4％等）を設定できる回路であると共に、２Ｍ′個（Ｍ′＝１００・Ｍ／拡縮率設定値）のＸラインデータがＲＡＭ１４上のＸ用ライン間補正バッファ上に記憶されているように、各色のラインデータをＲＡＭ１４上に記憶していく回路（設定されている拡縮率に応じて、ＲＡＭ１４上のＸ用ライン間補正バッファのサイズを変更する回路）となっている。
【００２４】
さらに、ライン間補正回路２１は、連続したＭ′本のラインに関する３Ｍ′個のラインデータ〔ＣＣＤ１３内の各センサから異なるタイミング（センサ間隔に応じたタイミング）で出力されるＭ′個のＲラインデータ，Ｍ′個のＧラインデータ及びＭ′個のＢラインデータ〕のＲＡＭ１４上への記憶が完了する度に、ブロックデータ出力処理を実行する回路となっている。
【００２５】
ライン間補正回路２１が実行するブロックデータ出力処理には、Ｍ′＝Ｍである（拡縮率として100%が設定されている）場合用のものである等倍コピー用ブロックデータ出力処理と、Ｍ′≠Ｍである場合用のものである拡縮コピー用ブロックデータ出力処理とが、存在している。
【００２６】
等倍コピー用ブロックデータ出力処理は、ＲＡＭ１４上の各色に関する今回処理すべきＭ′（この場合、Ｍ＝Ｍ′）個のラインデータを、Ｎ（＝Ｗ／Ｍ′）個のブロックデータからなるデータとして取り扱う処理である。ここで、ブロックデータとは、図２に模式的に示してあるように、“相互に隣接したＭ′×Ｍ′個（図では、Ｍ）の画素に関する色データ群”（図において、“ブロック０”等と示してある部分のデータ群）のことである。
【００２７】
そして、等倍コピー用ブロックデータ出力処理は、ＲＡＭ１４上の，総計３Ｎ個のブロックデータのそれぞれに対して、“ブロックデータをバーストリードによりＲＡＭ１４から読み出してブロックＳＲＡＭ２２に記憶する処理”（ブロックデータ中の同一ラインに関する３２個のデータをバーストリードにより読み出してブロックＳＲＡＭ２２に記憶する処理を繰り返す処理）と，“ブロックＳＲＡＭ２２上のデータを，設定されている回転角度に応じた順で読み出してブロック圧縮回路２３に供給する処理”とが実行される処理となっている。なお、設定されている回転角度に応じた順とは、図３に矢印で示してあるような順（図示してある順は、回転角度＝９０度の場合のもの）のことである。また、ライン間補正回路２１は、ＣＣＤ１３によるＭ′ラインのスキャンに必要とされる時間内に，１回のブロックデータ出力処理（等倍コピー用ブロックデータ出力処理，拡縮コピー用ブロックデータ出力処理）が完了するように構成（設計・製造）された回路となっている。
【００２８】
拡縮コピー用ブロックデータ出力処理も、ＲＡＭ１４上の各色に関する今回処理すべきＭ′（ただし、この場合、Ｍ≠Ｍ′）個のラインデータを、Ｎ（＝Ｗ／Ｍ′）個のブロックデータからなるデータとして取り扱う処理である。ただし、拡縮コピー用ブロックデータ出力処理は、ＲＡＭ１４上の３Ｎ個のブロックデータのそれぞれに対して、“ブロックデータをバーストリード（及びシングルリード）によりＲＡＭ１４から読み出し，設定されている拡縮率で拡縮した上でブロックＳＲＡＭ２２に記憶する処理”と、“ブロックＳＲＡＭ２２上のデータを，設定されている回転角度に応じた順で読み出してブロック圧縮回路２３に供給する処理”とが行われる処理となっている。
【００２９】
スキャナ用ＬＳＩ１２内のブロック圧縮回路２３（図１）は、ライン間補正回路２１から入力される各ブロックデータ（ＲＡＭ１４から読み出されたブロックデータ自体，或いは、ＲＡＭ１４から読み出されたブロックデータを回転及び／或いは拡縮したデータ）に対して、画像データ用の圧縮（本実施形態では、ＪＰＥＧ圧縮）を施す回路である。
【００３０】
プリンタＩ／Ｆ２４は、ブロック圧縮回路２３からのデータ（以下、圧縮ブロックデータと表記する）や，スキャナ用ＬＳＩ１２内のＣＰＵ（以下、スキャナＣＰＵとも表記する）が送信を指示したコマンドを、所定プロトコル（独自プロトコル）によりプリンタ３０（スキャナＩ／Ｆ４１）へ送信する回路である。
【００３１】
《プリンタ用ＬＳＩ３２》
次に、プリンタ用ＬＳＩ３２の構成を、プリンタ用ＬＳＩ６２と異なる部分を中心に説明する。
【００３２】
プリンタ用ＬＳＩ３２内のスキャナＩ／Ｆ４１は、圧縮ブロックデータを受信した場合には、それをブロック伸張回路４２に供給し、コマンドを受信した場合には、それをプリンタ用ＬＳＩ３２内のＣＰＵ（以下、プリンタＣＰＵとも表記する）に供給する回路である。
【００３３】
ブロック伸張回路４２は、スキャナ５０から送信されてきた圧縮ブロックデータ（スキャナＩ／Ｆ４１が受信した圧縮ブロックデータ）を伸張できる回路である。
【００３４】
このブロック伸張回路４２は、主走査方向ブロック数Ｎｘ，副走査方向ブロック数Ｎｙ，回転角度，及び，各色のページバッファの先頭アドレス（ＲＡＭ３３のアドレス）を設定できる回路となっている。
【００３５】
そして、ブロック伸張回路４２は、圧縮ブロックデータがスキャナＩ／Ｆ４１によって受信され始めた場合には、各圧縮ブロックデータを伸張し、その伸張結果を，図４〜図７に模式的に示してあるような形（設定されている情報及び処理した圧縮ブロックデータが何番目のデータであるかによって、その記憶位置を定める形）で、ＲＡＭ３３上に記憶していく処理を開始する回路となっている。なお、図４は、回転角度として９０度が設定されている場合におけるブロック伸張回路４２の動作内容を示した図であり、図５，図６，図７は、それぞれ、回転角度として０度，１８０度，２７０度，が設定されている場合におけるブロック伸張回路４２の動作内容を示した図である。
【００３６】
《カラーコピー機１の全体的な動作》
以下、コピーの開始が指示された場合（操作パネル１１の所定の押しボタンスイッチが押下された場合）に、本実施形態に係るカラーコピー機１内の各ＣＰＵが実行する処理の内容を説明する。
【００３７】
この場合、まず、コピーの開始が指示されたことを認識したスキャナＣＰＵ（スキャナ用ＬＳＩ１２内のＣＰＵ）が、設定されているコピー条件（原稿のサイズ及び向き，コピー画像を印刷すべき用紙のサイズ及び向き、両面コピーの要否等）に基づき、原稿のスキャン結果に対して施すべき回転処理の回転角度（回転処理を行う必要がない場合、０）、原稿のスキャン結果に対して施すべき拡縮処理の拡縮率（拡縮処理を行う必要がない場合、１００％）、主走査方向ブロック数（＝Ｎ＝Ｗ／Ｍ′；Ｍ′＝１００・Ｍ／拡縮率設定値），副走査方向ブロック数，及び，及びコピーに用いる用紙カセットを特定する処理を、行う。なお、副走査方向ブロック数とは、主走査方向（ＣＣＤ１３の長さ方向）と垂直な方向のスキャン画像サイズ（画素数）／Ｍ′のことである。
【００３８】
次いで、スキャナＣＰＵは、特定した回転角度，主走査方向ブロック数，副走査方向ブロック数及び用紙カセットを，プリンタＩ／Ｆ６４及びスキャナＩ／Ｆ６４を介して、プリンタＣＰＵ（プリンタ用ＬＳＩ３２内のＣＰＵ）に通知する処理を行う。そして、スキャナＣＰＵは、特定した回転角度及び拡縮率と各色用のライン間補間バッファの先頭アドレスとをライン間補正回路１２に設定する処理を行ってから，メカ・ランプ制御回路の動作（ランプの移動制御）を開始させる処理を行う。
【００３９】
一方、回転角度等が通知されたプリンタＣＰＵは、通知された回転角度，主走査方向ブロック数及び副走査方向ブロック数と、各色用のページバッファの先頭アドレスとをブロック伸張回路４２に設定する処理を行う。なお、この処理は、通知された回転角度が０度或いは１８０度であった場合には、通知された主走査方向ブロック数，副走査方向ブロック数を、それぞれ、主走査方向ブロック数Ｎｘ，副走査方向ブロック数Ｎｙとしてブロック伸張回路４２に設定し、通知された回転角度が９０度或いは２７０度であった場合には、通知された主走査方向ブロック数，副走査方向ブロック数を、それぞれ、副走査方向ブロック数Ｎｙ，主走査方向ブロック数Ｎｘとしてブロック伸張回路４２に設定する処理となっている。
【００４０】
そして、本実施形態に係るカラーコピー機１は、１ページ分のデータのＲＡＭ３３への記憶が完了した場合、プリンタＣＰＵの制御下、当該データが，そのまま（回転処理／拡縮処理等が施されることなく），画像処理回路によって処理されることにより、スキャナＣＰＵからプリンタＣＰＵへ通知されている用紙カセット内の用紙上への印刷が行われる装置となっている。
【００４１】
以上の説明から明らかなように、本実施形態に係るカラースキャナ１０が備えるスキャナ用ＬＳＩ１２は、ＣＣＤ１３によるスキャン結果を、メモリ（ＲＡＭ３３）上の特定の位置に記憶することにより画像データが得られるブロックデータ群として、カラープリンタ３０へ送信する回路となっている。また、スキャナ用ＬＳＩ１２は、回転処理や縮小処理を施した上で、各ブロックデータをカラープリンタ３０へ送信することも可能な回路となっている。そして、本実施形態に係るカラープリンタ３０は、回転／拡縮コピー時，通常コピー時のいずれにも、カラースキャナ２０からの各ブロックデータを画像データに復元して画像処理回路に処理させるといった処理が行われる装置であるため、本実施形態に係るカラーコピー機１は、回転／拡縮コピーが，通常コピーと同様の速度で行える装置となっていることとになる。
【００４２】
また、本実施形態に係るカラーコピー機１に用いられているスキャナ用ＬＳＩ１２，プリンタ用ＬＳＩ３２は、ＲＡＭ１４，３３に対するアクセスを原則としてバーストアクセスにより行うＬＳＩであると共に、既存のＬＳＩの，ライン間補正関連の回路を改良することによって製造できるＬＳＩとなっている。このため、本実施形態に係るカラーコピー機１は、製造コストがさほど上昇しない形で製造できる装置となっていると言うことも出来る。
【００４３】
《変形形態》
上記したカラーコピー機１は、各種の変形を行うことが出来る。例えば、カラーコピー機１を一体型のカラーコピー機に変形することができる。また、カラーコピー機１を一体型のカラーコピー機に変形する場合には、スキャナ用ＬＳＩ１２に、図４〜図７に示したような形でメモリ上にブロックデータを記憶する機能を付加しておくことが出来る。
【００４４】
また、スキャナ用ＬＳＩ１２を、回転角度が０度の場合には、ラインデータをカラープリンタ６０へ送信する回路としておくことも出来る。また、プリンタＩ／Ｆ２４，スキャナＩ／Ｆ４１としてより高機能なものを実装しておかなければならないことにはなるが、スキャナ用ＬＳＩ１２，プリンタ用ＬＳＩ３２から、ブロック圧縮回路２３，ブロック伸張回路４２を取り除いておくことも出来る。
【図面の簡単な説明】
【００４５】
【図１】実施形態に係る、カラースキャナとカラープリンタとからなるカラーコピー機の構成図。
【図２】実施形態に係るカラースキャナに用いられているスキャナ用ＬＳＩ（スキャナ用ＬＳＩのライン間補正回路）の機能の説明図。
【図３】スキャナ用ＬＳＩ（スキャナ用ＬＳＩのライン間補正回路）の機能の説明図。
【図４】実施形態に係るカラープリンタに用いられているプリンタ用ＬＳＩの機能の説明図。
【図５】実施形態に係るカラープリンタに用いられているプリンタ用ＬＳＩの機能の説明図。
【図６】実施形態に係るカラープリンタに用いられているプリンタ用ＬＳＩの機能の説明図。
【図７】実施形態に係るカラープリンタに用いられているプリンタ用ＬＳＩの機能の説明図。
【図８】既存の、カラースキャナとカラープリンタとからなるカラーコピー機の構成図。
【図９】既存のカラースキャナに用いられているスキャナ用ＬＳＩ（スキャナ用ＬＳＩのライン間補正回路）の機能の説明図。
【符号の説明】
【００４６】
１  カラーコピー機、  １０  カラースキャナ
１１  操作パネル、  １２  スキャナ用ＬＳＩ
１３  ３ラインカラーＣＣＤラインセンサ
１４，３３  ＲＡＭ、  ２１  ライン間補正回路、  ２２  ブロックＳＲＡＭ
３０  カラープリンタ、  ３２  プリンタ用ＬＳＩ
２３  ブロック圧縮回路、  ２４  プリンタＩ／Ｆ
３１  印刷エンジン、  ４１  スキャナＩ／Ｆ、  ４２  ブロック伸張回路
【図１】
2009094604.tif 000003
【図２】
2009094604.tif 000004
【図３】
2009094604.tif 000005
【図４】
2009094604.tif 000006
【図５】
2009094604.tif 000007
【図６】
2009094604.tif 000008
【図７】
2009094604.tif 000009
【図８】
2009094604.tif 000010
【図９】
2009094604.tif 000011